(57)【要約】      （修正有）【課題】足裏を効率的にサポートする凹凸を設けた芯材と、シリカゲル素材を含んだ除湿防臭シートを布その他シート状素材で包み込むように縫製する構造を採用することにより、足裏にフィットし、除湿防臭効果のあるスリッパその他の室内履きを提供する。【解決手段】少なくとも足の甲の上半分の一部分を覆う大きさを有したアッパー部１１と、布またはレザーその他のシート状物でインソールと除湿防臭シートを包み込んで縫製したソール部１２とを備え、前記除湿防臭シートはインソールの上側であってソール部の中央から爪先側の間の部分２に設けられている。【選択図】図４
0003210564.tif 000002
【実用新案登録請求の範囲】
【請求項１】
足の甲の上半分の一部分を覆う大きさを有するアッパー部と、
硬質素材の芯材であるインソールが内蔵され且つ表面が布その他のシート状物で覆われたソール部と、
前記ソール部の内部であって前記インソールと前記シート状物との間に設けられた除湿防臭シートを有する除湿防臭部と、を備えたことを特徴とする室内履き。
【請求項２】
足の甲の上半分の一部分を覆う大きさを有し、除湿防臭シートからなる除湿防臭部を備えたアッパー部と、
硬質素材の芯材であるインソールが内蔵され且つ表面が布その他のシート状物で覆われたソール部と、
前記アッパー部の内部に設けられた除湿防臭シートからなる除湿防臭部と、を備えたことを特徴とする室内履き。
【請求項３】
前記除湿防臭シートは、表面に凹凸構造を有し且つシリカゲルを含んだ素材からなることを特徴とする請求項１または請求項２に記載の室内履き。
【請求項４】
前記除湿防臭シートの前記凹凸構造は、正六角形を隙間なく並べたハニカムパターンの凸部からなることを特徴とする請求項１から請求項３いずれか１つに記載の室内履き。
【請求項５】
前記ソール部は、前記ソール部上面の中央に隆起を有し、前記ソール部上面の左右端が高くなっていることを特徴とする請求項１から請求項４いずれか１つに記載の室内履き。
【考案の詳細な説明】
【技術分野】
【０００１】
この考案は、足裏の形状に合わせた立体形状のソール部を備えたことによって、足裏の土踏まず及び立方骨があたる部分をしっかりサポートでき、さらに、シリカゲルを特殊製法で挟み込んだハニカムパターンシートをソール部に埋め込んで除湿防臭効果を高めた快適な履き心地のスリッパその他の室内履きに関する。
【背景技術】
【０００２】
スリッパその他の室内履きは、リラックスした状態で、履くことが多く、楽な服装で、足元は裸足という状態で履くことも多い。足裏は、全身の中でもとくに汗をかきやすい部位であるため、室内履きの内部は、蒸れやすい。また、室内履きは、頻繁に洗濯できないものが多く、汗や蒸れから悪臭が発生することもが多い。
【０００３】
それらの問題を改善するため、特許文献１のようなスリッパが考案されている。特許文献１のスリッパは、本体内部にライナーをセットして、汗をかいたら、ライナーを取り換えて新しいライナーをセットして使用するシステムスリッパである。洗濯を頻繁に行うことが難しいスリッパでも、ライナーを新しいものに取り換えれば、快適に履き続けられる構成となっている。
【０００４】
しかし、特許文献１のスリッパは、ライナーを、汗をかくたび取り替えねばならず、複数枚のライナーを準備しなければいけないため、コストが割高となる。また、ライナーを交換するタイミングがないシーンでは、長時間、同じライナーで履き続けなければならず、スリッパ内部が蒸れて不快になる。
【特許文献１】実用新案登録第３００８０７１号公報
【考案の概要】
【考案が解決しようとする課題】
【０００５】
そこで、本考案は、スリッパやルームブーツ等の室内履きのソール部に、シリカゲル素材を含んだ素材からなる除湿防臭効果のあるシートを埋め込み、室内履きを履いている間、ソール部から湿気を効率よく発散できるようにし、長時間履き続けても、室内履き内部が蒸れず、悪臭を発生せず、快適な履き心地が続く室内履きを提供する。本考案の室内履きは、洗濯を繰り返してても除湿防臭効果が低下しないので、いつでも清潔で、除湿防臭効果が長続きする。したがって、コストがかからず、快適な履き心地を、いつでも得ることができる。
【課題を解決するための手段】
【０００６】
本考案の室内履きは、足の甲の上半分の一部分を覆う大きさを有したアッパー部と、硬質素材の芯材であるインソールが内蔵され且つ表面が布その他のシート状物で覆われたソール部と、前記ソール部の内部であって前記インソールと前記シート状物との間に設けられた除湿防臭シートからなる除湿防臭部と、を備えたことを特徴とする。
【０００７】
この考案によれば、蒸れやすいアッパー部のアーチ内に湿気がこもることがなく、足裏の汗は、ソール部の下に備えられた除湿防臭シートによって、すばやく湿気が空気中に拡散し、匂いの発生を防いで、長時間でも快適に履き続けることができる。
【０００８】
また、本考案の室内履きは、足の甲の上半分の一部分を覆う大きさを有し、除湿防臭シートからなる除湿防臭部を備えたアッパー部と、硬質素材の芯材であるインソールが内蔵され且つ表面が布その他のシート状物で覆われたソール部と、前記アッパー部の内部に設けられた除湿防臭シートからなる除湿防臭部と、を備えたことを特徴とする。
【０００９】
この考案によれば、アッパー部に備えられた除湿防臭シートによって、蒸れやすいアッパー部のアーチ内に湿気がこもることがなく、すばやく湿気が空気中に拡散し、匂いの発生を防いで、長時間でも快適に履き続けることができる室内履きを提供することができる。
【００１０】
また、本考案の室内履きの除湿防臭シートは、表面に凹凸構造を備えており且つシリカゲルを含んだ素材からなることを特徴とする。
【００１１】
この考案によれば、この考案によれば、足裏の汗がソール部に染み込んでも、表面に凹凸構造を備えており且つシリカゲルを含んだ素材からなる除湿防臭シートが、すばやく湿気を逃がし、湿気がこもらず、匂いの発生も抑え、快適な履き心地を提供することができる。除湿防臭シートの表面に凹凸構造が備えられたことによって、除湿防臭シートに含まれたシリカゲル素材が、外気に触れる面積が多く、除湿防臭効果の高い室内履きを提供することができる。
【００１２】
また、本考案の室内履きの除湿防臭シートの前記凹凸構造は、正六角形を隙間なく並べたハニカムパターンの凸部からなることを特徴とする。
【００１３】
この考案によれば、足裏の汗がソール部に染み込んでも、シリカゲルを含んだ素材からなる正六角形を隙間なく並べたハニカムパターンの凸部を備えたシートが、すばやく湿気を逃がし、湿気がこもらず、匂いの発生も抑え、快適な履き心地を提供することができる。凸部がハニカムパターンであることで、上下からの加重にも強く、ソール部にかかる体重負荷に耐えるので、除湿防臭シートの凹凸が体重負荷でつぶされてしまうことを予防できる。したがって、長時間履き続けても除湿防臭シートの効能が低下しない耐久性の高い室内履きを提供できる。
【００１４】
また、本考案の室内履きの前記ソール部は、前記ソール部上面の中央に隆起を有し、前記ソール部上面の左右端が高くなっていることを特徴とする。
【００１５】
この考案によれば、ソール部中央の隆起が足裏の立方骨の部分をサポートし、また、左右端が高くなっていることで、足裏を両側から包み込むようにフィットして、足裏の形状に沿って足裏をサポートするため、歩行の際に、足から室内履きが滑り落ちることがなく、足指に余分な力が入らず、長時間歩いても足が疲れにくい。また、足裏の土踏まずの部分及び立方骨の部分を下から支えるので、快適な履き心地を得ることができる。
【図面の簡単な説明】
【００１６】
【図１】この考案の実施形態１にかかる室内履きスリッパ１００の平面図である。
【図２】（ａ）は、この考案の室内履きスリッパ１００の除湿防臭部２を説明するための参考平面図であって、（ｂ）は、図２（ａ）のＡ部拡大図である。
【図３】（ａ）は、図１に示した室内履きスリッパ１００の右足用室内履きスリッパ１０２の参考平面図であって（ｂ）は、右足用室内履きスリッパ１０２の参考左側面図である。
【図４】（ａ）は、図１に示した室内履きスリッパ１００の右足用室内履きスリッパ１０２の参考斜視図である。
【図５】この考案の実施形態１にかかる室内履きスリッパ１００の使用状態を示す参考図である。
【図６】この考案の実施形態２にかかる室内履きスリッパ２００の平面図である。
【図７】図６に示した室内履きスリッパ２００の右足用室内履きスリッパ２０２の参考斜視図である。
【図８】この考案の実施の形態３にかかる室内履きスリッパ３００の平面図である。
【図９】図８に示した室内履きスリッパ３００の右足用室内履きスリッパ３０２の参考斜視図である。
【図１０】この考案の実施の形態４にかかる室内履きスリッパ４００の平面図である。
【図１１】図１０に示した室内履きスリッパ４００の右足用室内履きスリッパ４０２の参考斜視図である。
【図１２】（ａ）は、図１０に示した室内履きスリッパ４００の右足用室内履きスリッパ４０２の参考平面図であって、（ｂ）は、参考左側面図である。
【図１３】（ａ）は、図１０に示した室内履きスリッパ４００の足裏側防湿防臭部２ａを説明するための参考平面図であって、（ｂ）は、室内履きスリッパ４００のアッパー側防湿防臭部２ｂを説明するための参考平面図である。（ｃ）は、図１３（ａ）及び（ｂ）のＢ部拡大図である。
【図１４】この考案の実施の形態５にかかる室内履きスリッパ５００の平面図である。
【図１５】図１４に示した室内履きスリッパ５００の右足用室内履きスリッパ５０２の参考斜視図である。
【図１６】（ａ）は、図１４に示した室内履きスリッパ５００の参考平面図であって、（ｂ）は、参考左側面図である。
【図１７】（ａ）は、図１６に示した室内履きスリッパ５００のアッパー側防湿防臭部２ｂを説明するための参考平面図であって、（ｂ）は、室内履きスリッパ５００のアッパー側防湿防臭部２ｂを説明するための参考平面図であって、（ｃ）は、図１７（ａ）及び（ｂ）のＣ部拡大図である。
【図１８】この考案の実施の形態６にかかる室内履き６００の斜視図である。
【図１９】図１８に示した室内履き６００の右足用室内履き６０１の斜視図である。
【図２０】図１８に示した室内履き６００の右足用室内履き６０１の右側面図である。
【図２１】図１８に示した室内履き６００の右足用室内履き６０１の参考断面図である。
【図２２】（ａ）は、図１６に示した室内履き室内履き６００のアッパー側防湿防臭部２ｂを説明するための参考平面図であって、（ｂ）は、室内履き６００のアッパー側防湿防臭部２ｂを説明するための参考平面図であって、（ｃ）は、図２２（ａ）及び（ｂ）のＣ部拡大図である。
【考案を実施するための形態】
【００１７】
以下、本考案を実施するための最良の形態について、実施の形態毎に説明する。
【００１８】
（実施の形態１）
図１は、この考案の実施形態１にかかる室内履きスリッパ１００の平面図である。図２（ａ）は、この考案の室内履きスリッパ１００の除湿防臭部２を説明するための参考平面図であって（ｂ）は（ａ）のＡ部拡大図である。図３（ａ）は、図１に示した室内履きスリッパ１００の右足用室内履きスリッパ１０２の参考平面図であって（ｂ）は、右足用室内履きスリッパ１０２の参考左側面図である。図４（ａ）は、図１に示した室内履きスリッパ１００の右足用室内履きスリッパ１０２の参考斜視図である。図５は、この考案の実施形態１にかかる室内履きスリッパ１００の使用状態を示す参考図である。
【００１９】
実施の形態１の室内履きスリッパ１００は、図１に示すように、ルームシューズ型の足を包み込む形状の室内履きスリッパである。一般的な室内履きスリッパは、右足用も左足用も全く同一の形状であり、それぞれ、左右対称の楕円形状であることが多いが、本考案の実施の形態１の室内履きスリッパ１００は、右足用と左足用、同一の形状ではなく、鏡像対称の形状となっている。それぞれの足の形にフィットする形状となっているので左右逆にして履くことはできない。実施の形態１の室内履きスリッパ１００は、足裏が接する面であるソール部１２には、足裏の形態に沿った凹凸が設けられている。この凹凸は、ソール部１２の直下に硬質素材のインソールが内蔵されていることで形成されている。凹凸が設けられた芯材であるインソールを布その他のシート状物で覆ってソール部１２が形成されている。ソール部１２に内蔵されたインソールに設けられた凹凸は、足の内側と外側とで、それぞれ違う大きさであり、足裏の形状に沿った凹凸となっている。芯材であるインソールは、硬質の素材からなる。インソールの素材の硬さについて、少なくともアッパー部１１より硬い必要がある。
【００２０】
室内履きスリッパ１００は、ソール部１２の下側に除湿防臭効果のあるシートである除湿防臭部２が埋め込まれている。ソール部１２の下に埋め込まれている除湿防臭部２は、図２（ａ）に示すように、小判形状を中央から上半分のみ切り取ったような形状である。除湿防臭部２は、平面視、下端が、略直線状であって、上部は、丸みを帯びた半円の曲線を描いている。除湿防臭部２は、除湿防臭効果を有するハニカムパターンシート２１を、布で作った袋に入れ、当該袋の口を縫い綴じたものである。図２（ｂ）に示すように、ハニカムパターンシート２１は、シリカゲル素材を含んだシート素材であり、拡大して見ると、正六角形を隙間なく並べたハニカムパターンの凸部が設けられている。
【００２１】
シリカゲル素材は、多孔質構造で水分を吸着する性質がある。シリカゲル素材を含むシートの表面にハニカムパターンの凸を備えられたことによって、水分を吸着するシリカゲル素材が外気に触れる面積が多くなり、水分の吸着を効率よく行うハニカムパターンシート２１となっている。また、ハニカムパターンシート２１の凸部は、正六角形を隙間なく並べたハニカムパターンであるため、上からかかる負荷に対して強い。室内履きスリッパのソール部１２の中に埋め込まれ、室内履きスリッパを履いた状態で、上から体重負荷がかかってもハニカムパターンシート２１の凹凸がつぶれにくいので、除湿防臭性能が低下せず、耐久性の高い室内履きスリッパ１００を提供することができる。
【００２２】
実施の形態１の室内履きスリッパ１００は、除湿防臭部２にハニカムパターンの凹凸を設けたシートを用いたが、除湿防湿部２に使用するシートは、ハニカムパターン以外の凹凸を備えたシートを備えてもよい。格子パターンの凹凸を備えたシートでもよいし、多数の細い溝が設けられたシートでもよいし、ランダムに凹凸が設けられたシートでもよい。除湿防湿部２のシート表面に凹凸形状が備えられており、シリカゲル素材が外気に触れる面積が多い構造であることが望ましい。
【００２３】
ハニカムパターンシート２１の厚みは、５ミリメートルから２０ミリメートルである。秋冬用室内履きスリッパに用いるものは７ミリメートルから９ミリメートル程度の厚みのものを用いると除湿及び防臭効果が十分得られ最適である。夏用の室内履きスリッパに用いる場合は１３ミリメートルから１８ミリメートルの厚みのものを用いると、除湿及び防臭効果のほか、抗菌効果を高めることができる。ハニカムパターンシート２１は、厚みのあるシートとするとコストも高くなるので、秋冬用室内履きスリッパには薄めのシートを用い、汗を多くかく夏用室内履きスリッパには、厚めのシートを用いて除湿防臭及び抗菌効果を高めるとよい。
【００２４】
図３（ａ）及び（ｂ）に示すように、室内履きスリッパ１００の除湿防臭部２は、室内履きスリッパ１００の爪先側のエリアであって、ソール部１２の直下に埋め込まれている。室内履きスリッパ１００は、ソール部１２の下側に、足裏の凹凸にあわせた凹凸が設けられたインソールと、インソールの上側に重ねるように設けられた除湿防臭部２とが埋め込まれている。除湿防臭部２が設けられた位置について、室内履きスリッパの中で、一番蒸れやすいのは、足裏が接するソール部１２の上面であって上側をアッパーに囲まれた部分である。したがって、除湿防臭部２は、ソール部１２の中であって、中央から爪先側にかけての部分に埋め込むことが一番効果的である。
【００２５】
図４に示すように、室内履きスリッパ１００は、足裏が接する面であるソール部１２は、足裏の形状に沿った凹凸が設けられていて、アッパー部１は、ソール部１２に足裏を載置したときに、足の甲を包み込むような形状となっている。除湿防臭部２は、ソール部１２の中央から爪先側にかかる部分に埋め込まれている。除湿防臭部２は、少なくとも、中央から爪先側にかけての部分の一部を覆う寸法のものを埋め込む必要があるが、ソール部１２の中央から爪先側の部分すべてにかかるよう大きくしてもよいし、ソール部１２の全面を覆う大きさとしてソール部１２に埋め込んでもよい。
【００２６】
図５に示すように、室内履きスリッパ１００は、足裏の形状に沿った凹凸が設けられているので、歩行時も足の位置が室内履きスリッパ１００の中で固定され、位置ズレしないので、安定した良い歩行姿勢を保つことができる。ソール部１２は、足の踵が接する部分には踵にあわせた窪みである踵ホールドが設けられ、また、土踏まずが接する部分には土踏まずの形状に沿った凸部である土踏まずサポートが設けられている。足の位置が室内履きスリッパ１００の中で固定されるため、足裏が、ずっとソール部１２に密着したままとなり、湿気がこもりやすくなるが、ソール部１２の下に除湿防臭効果のあるハニカムパターンシート２１が埋め込まれていることで、湿気が効率よく拡散され、匂いの発生が抑えられる。室内履きスリッパ１００は、足をしっかりホールドして良い歩行姿勢を保つと同時に、長時間履き続けても室内履きスリッパ内部が蒸れたり悪臭が発生しない快適な履き心地の室内履きスリッパ１００である。
【００２７】
（実施の形態２）
次に、図６及び図７を示しながら、本考案の実施の形態２の室内履きスリッパ２００について説明する。
【００２８】
図６は、この考案の実施形態２にかかる室内履きスリッパ２００の平面図である。図７は、図６に示した室内履きスリッパ２００の右足用室内履きスリッパ２０２の参考斜視図である。
【００２９】
室内履きスリッパ２００は、ソール部１２と、アッパー部１１とからなる室内履きスリッパである。アッパー部１１は、室内履きスリッパ２００の中央から爪先側にかけて、足の甲の部分を覆うように設けられている。足裏が接する面であるソール部１２は、実施の形態１のソール部１２と同様に、足裏の形状に沿った凹凸が設けられている。
【００３０】
室内履きスリッパ２００は、実施の形態１と同様、ソール部１２の下側に除湿防臭効果のあるシートである除湿防臭部２が埋め込まれている。ソール部１２の下に埋め込まれている除湿防臭部２は、小判形状を中央から上半分のみ切り取ったような形状である。除湿防臭部２は、平面視、下端が、略直線状であって、上部は、丸みを帯びた半円の曲線を描いている。除湿防臭部２は、除湿防臭効果を有するハニカムパターンシート２１を、布で作った袋に入れ、当該袋の口を縫い綴じたものである。除湿防臭部２は、布で作った袋を省略し、ハニカムパターンシート２１を直接埋め込むようにしてもよい。ハニカムパターンシート２１は、シリカゲル素材を含んだシート素材であり、正六角形を隙間なく並べたハニカムパターンの凸部が設けられている。シリカゲル素材は、多孔質構造で水分を吸着する性質がある。シリカゲル素材を含むシートの表面にハニカムパターンの凸を備えられたことによって、水分を吸着するシリカゲル素材が外気に触れる面積が多くなり、水分の吸着を効率よく行うハニカムパターンシート２１となっている。また、ハニカムパターンシート２１の凸部は、正六角形を隙間なく並べたハニカムパターンであるため、上からかかる負荷に対して強い。室内履きスリッパのソール部１２の中に埋め込まれ、室内履きスリッパを履いた状態で、上から体重負荷がかかってもハニカムパターンシート２１の凹凸がつぶれにくいので、除湿防臭性能が低下せず、耐久性の高い室内履きスリッパ２００を提供することができる。
【００３１】
図７に示すように、室内履きスリッパ２００にも、実施の形態１と同様に、ソール部１２の下側に除湿防臭部２が埋め込まれている。除湿防臭部２は、一番湿気がこもりやすい箇所であるソール部１２の中央から爪先側、すなわち、アッパー部１１とソール部１２とで足の甲を包み込む空間を形成している場所の下側に埋め込まれている。除湿防臭部２に使用されているハニカムパターンシート２１は、コストが高いため、なるべく小さい寸法のもので効果を得るためには、少なくとも、ソール部１２の足裏の指のつけねが接する部分の下側に除湿防臭部２が埋め込まれている必要がある。除湿防臭部２の除湿防臭効果を向上させたいときは、除湿防臭２の寸法を大きくして、踵から爪先までソール部１２全面にハニカムパターンシート２１を埋め込んでもよい。
【００３２】
（実施の形態３）
次に、図８及び図９を示しながら、本考案の実施の形態３の室内履きスリッパ３００について説明する。
【００３３】
図８は、この考案の実施の形態３にかかる室内履きスリッパ３００の平面図である。図９は、図８に示した室内履きスリッパ３００の右足用室内履きスリッパ３０２の参考斜視図である。
【００３４】
図８に示すように、室内履きスリッパ３００は、夏用の室内履きスリッパであって、足裏が接するソール部１２には、竹素材またはイ草の畳敷シートが使用されている。竹素材やイ草素材をソール部１２に使用するものは、夏に使用される室内履きスリッパ２００であるので、除湿防臭効果を十分得られるよう、埋め込む除湿防臭部２は、室内履きスリッパ１００や室内履きスリッパ２００に使用されていたハニカムパターンシートより厚いハニカムパターンシート２１を採用している。夏用に供される室内履きスリッパに埋め込むハニカムパターンシートは、１５ミリメートル以上のしっかりした厚みのものを用いると、十分な除湿防臭効果が得られ、且つ、抗菌作用も高めることができる。
【００３５】
図９に示すように、室内履きスリッパ３００のソール部１２には、除湿防臭部２が埋め込まれている。除湿防臭部２はソール部１２の中央から爪先側の部分、すなわち、足の指の付け根にあたる部分が接する箇所に埋め込まれている。除湿防臭部２は、ハニカムパターンシート２１を布等の袋に入れて口を縫い綴じたものであり、ソール部１２の内部に埋め込まれている。除湿防臭部２は、布等の袋を省略し、ハニカムパターンシート２１を直接ソール部１２に埋め込んでもよい。ハニカムパターンシート２１は、シリカゲル素材を含んだシート素材であり、正六角形を隙間なく並べたハニカムパターンの凸部が設けられている。シリカゲル素材は、多孔質構造で水分を吸着する性質がある。シリカゲル素材を含むシートの表面にハニカムパターンの凸を備えられたことによって、水分を吸着するシリカゲル素材が外気に触れる面積が多くなり、水分の吸着を効率よく行うハニカムパターンシート２１となっている。また、ハニカムパターンシート２１の凸部は、正六角形を隙間なく並べたハニカムパターンであるため、上からかかる負荷に対して強い。室内履きスリッパのソール部１２の中に埋め込まれ、室内履きスリッパを履いた状態で、上から体重負荷がかかってもハニカムパターンシート２１の凹凸がつぶれにくいので、除湿防臭性能が低下せず、耐久性の高い室内履きスリッパ３００を提供することができる。
【００３６】
ハニカムパターンシート２１は、湿気をすばやく外に放出し、匂いの発生もおさえる効果がある。また、乾かせば、何度でも、除湿防臭効果を発揮するので、繰り返し使えて経済的である。さらに、洗濯可能であり、洗濯してよく干せば、何度でも防臭防臭効果を発揮する。
【００３７】
本実施の形態の室内履きスリッパは室内履きスリッパ底に、ゴム底や滑り止め素材を採用して履き心地をよくしてもよい。また、室内履き用には布底の室内履きスリッパを、室外履き用にはゴム底や靴底素材を採用した室内履きスリッパを供するようにしても良い。
【００３８】
（実施の形態４）
次に、図１０から図１３を示しながら、実施の形態４の室内履きスリッパ４００を説明する。
【００３９】
図１０は、この考案の実施の形態４にかかる室内履きスリッパ４００の平面図である。図１１は、図１０に示した室内履きスリッパ４００の右足用室内履きスリッパ４０２の参考斜視図である。図１２（ａ）は、図１０に示した室内履きスリッパ４００の右足用室内履きスリッパ４０２の参考平面図であって、（ｂ）は、参考左側面図である。図１３（ａ）は、図１０に示した室内履きスリッパ４００の防湿防臭部２ａを説明するための参考平面図であって、（ｂ）は、室内履きスリッパ４００の防湿防臭部２ｂを説明するための参考平面図である。（ｃ）は、図１３（ａ）及び（ｂ）のＢ部拡大図である。
【００４０】
実施の形態４の室内履きスリッパ４００は、ハニカムパターンシート２１を含む防湿防臭部２を、ハニカムパターンシート２１を含む防湿防臭部２を足裏が触れる面に備えた足裏防湿防臭部２ａと、アッパーの内面に備えたアッパー側防湿防臭部２ｂと、を有する室内履きスリッパ４００である。
【００４１】
図１０に示すように、室内履きスリッパ４００は、外観、実施の形態１と同じ、ルームシューズ型の足を包み込む形状の室内履きスリッパである。一般的な室内履きスリッパは、右足用も左足用も全く同一の形状であり、それぞれ、左右対称の楕円形状であることが多いが、本考案の実施の形態４の室内履きスリッパ４００は、右足用と左足用、同一の形状ではなく、鏡像対称の形状となっている。それぞれの足の形にフィットする形状となっているので左右逆にして履くことはできない。実施の形態４の室内履きスリッパ４００は、足裏が接する面であるソール部１２には、足裏の形態に沿った凹凸が設けられている。この凹凸は、ソール部１２の直下に硬質素材のインソールが内蔵されていることで形成されている。凹凸が設けられた芯材であるインソールを布その他のシート状物で覆ってソール部１２が形成されている。ソール部１２に内蔵されたインソールに設けられた凹凸は、足の内側と外側とで、それぞれ違う大きさであり、足裏の形状に沿った凹凸となっている。芯材であるインソールは、硬質の素材からなる。インソールの素材の硬さについて、少なくともアッパー部１１より硬い必要がある。
【００４２】
図１１及び図１２に示すように、室内履きスリッパ４００は、ソール部１２全面に除湿防臭効果のあるシートである除湿防臭部２が埋め込まれ、足裏側防湿防臭部２ａとなっている。また、室内履きスリッパ４００のアッパー部の裏面、すなわち、足を挿入した際に足の甲があたる部分の爪先部分にも、除湿防臭効果のあるシートである除湿防臭部２が埋め込まれ、アッパー側防湿防臭部２bとなっている。図１３（ａ）に示すように、足裏側防湿防臭部２aは、室内履きスリッパ４００のソール部と略同じ形状であって、全面にハニカムパターンシート２１が埋め込まれ又は内蔵されている。足裏側除湿防臭部２ａは、除湿防臭効果を有するハニカムパターンシート２１を、布で作った袋に入れ、当該袋の口を縫い綴じたものとしてもよいし、ハニカムパターンシート２１を切り整えて、そのまま使用したり埋め込んでもよい。
【００４３】
図１３（b）に示すように、アッパー側防湿防臭部２ｂは、室内履きスリッパ４００のアッパー部の先端部分、すなわち、足の甲であって爪先があたる部分に設けられている。アッパー側除湿防臭部２ｂは、除湿防臭効果を有するハニカムパターンシート２１を、布で作った袋に入れ、当該袋の口を縫い綴じたものとしてもよいし、ハニカムパターンシート２１を切り整えて、そのまま使用したり埋め込んでもよい。図１３（ｃ）に示すように、ハニカムパターンシート２１は、シリカゲル素材を含んだシート素材であり、拡大して見ると、正六角形を隙間なく並べたハニカムパターンの凸部が設けられている。ハニカムパターンの凸部が設けられていることにより、通気性がよく、また、上下からの負荷にも耐えられる強い構造とすることができる。
【００４４】
シリカゲル素材は、多孔質構造で水分を吸着する性質がある。シリカゲル素材を含むシートの表面にハニカムパターンの凸を備えられたことによって、水分を吸着するシリカゲル素材が外気に触れる面積が多くなり、水分の吸着を効率よく行うハニカムパターンシート２１となっている。また、ハニカムパターンシート２１の凸部は、正六角形を隙間なく並べたハニカムパターンであるため、上からかかる負荷に対して強い。室内履きスリッパのソール部１２の中に埋め込まれ、室内履きスリッパを履いた状態で、上から体重負荷がかかってもハニカムパターンシート２１の凹凸がつぶれにくいので、除湿防臭性能が低下せず、耐久性の高い室内履きスリッパ４００を提供することができる。
【００４５】
実施の形態４の室内履きスリッパ４００は、除湿防臭部２にハニカムパターンの凹凸を設けたシートを用いたが、除湿防湿部２に使用するシートは、ハニカムパターン以外の凹凸を備えたシートを備えてもよい。格子パターンの凹凸を備えたシートでもよいし、多数の細い溝が設けられたシートでもよいし、ランダムに凹凸が設けられたシートでもよい。除湿防湿部２のシート表面に凹凸形状が備えられており、シリカゲル素材が外気に触れる面積が多い構造であることが望ましい。
【００４６】
ハニカムパターンシート２１の厚みは、５ミリメートルから２０ミリメートルである。秋冬用室内履きスリッパに用いるものは７ミリメートルから９ミリメートル程度の厚みのものを用いると除湿及び防臭効果が十分得られ最適である。夏用の室内履きスリッパに用いる場合は１３ミリメートルから１８ミリメートルの厚みのものを用いると、除湿及び防臭効果のほか、抗菌効果を高めることができる。ハニカムパターンシート２１は、厚みのあるシートとするとコストも高くなるので、秋冬用室内履きスリッパには薄めのシートを用い、汗を多くかく夏用室内履きスリッパには、厚めのシートを用いて除湿防臭及び抗菌効果を高めるとよい。
【００４７】
室内履きスリッパ４００は、蒸れやすい室内履きスリッパの奥部分であるアッパー側防湿防臭部２ｂと、足裏の湿気がこもりやすい足裏側除湿防臭部２ａにシリカゲル素材を含む防湿防臭部２が設けられていることによって、長時間履いても蒸れにくく、汗をかいても、すぐに乾燥する快適な履き心地となっている。室内履きスリッパ４００は、足裏の形状に沿った凹凸が設けられているので、歩行時も足の位置が室内履きスリッパ４００の中で固定され、位置ズレしないので、安定した良い歩行姿勢を保つことができる。ソール部１２は、足の踵が接する部分には踵にあわせた窪みである踵ホールドが設けられ、また、土踏まずが接する部分には土踏まずの形状に沿った凸部である土踏まずサポートが設けられている。足の位置が室内履きスリッパ４００の中で固定されるため、足裏が、ずっとソール部１２に密着したままとなり、湿気がこもりやすくなるが、ソール部１２の下に除湿防臭効果のあるハニカムパターンシート２１が埋め込まれていることで、湿気が効率よく拡散され、匂いの発生が抑えられる。
【００４８】
（実施の形態５）
次に、図１４から図１７を示しながら、実施の形態５の室内履きスリッパ５００を説明する。
【００４９】
図１４は、この考案の実施の形態５にかかる室内履きスリッパ５００の平面図である。図１５は、図１４に示した室内履きスリッパ５００の右足用室内履きスリッパ５０２の参考斜視図である。図１６（ａ）は、図１４に示した室内履きスリッパ５００の参考平面図であって、（ｂ）は、参考左側面図である。図１７（ａ）は、図１６に示した室内履きスリッパ４００の足裏側防湿防臭部２ｂを説明するための参考平面図であって、（ｂ）は、図１６（ａ）のＣ部拡大図である。
【００５０】
実施の形態５の室内履きスリッパ５００は、ハニカムパターンシート２１を含む防湿防臭部２を足裏が触れる面に備えた足裏防湿防臭部２ａと、アッパーの内面に備えたアッパー側防湿防臭部２ｂと、を有する室内履きスリッパ５００である。
【００５１】
図１４に示すように、室内履きスリッパ５００は、外観、実施の形態１と同じ、ルームシューズ型の足を包み込む形状の室内履きスリッパである。一般的な室内履きスリッパは、右足用も左足用も全く同一の形状であり、それぞれ、左右対称の楕円形状であることが多いが、本考案の実施の形態５の室内履きスリッパ５００は、右足用と左足用、同一の形状ではなく、鏡像対称の形状となっている。それぞれの足の形にフィットする形状となっているので左右逆にして履くことはできない。実施の形態５の室内履きスリッパ５００は、足裏が接する面であるソール部１２には、足裏の形態に沿った凹凸が設けられている。この凹凸は、ソール部１２の直下に硬質素材のインソールが内蔵されていることで形成されている。凹凸が設けられた芯材であるインソールを布その他のシート状物で覆ってソール部１２が形成されている。ソール部１２に内蔵されたインソールに設けられた凹凸は、足の内側と外側とで、それぞれ違う大きさであり、足裏の形状に沿った凹凸となっている。芯材であるインソールは、硬質の素材からなる。インソールの素材の硬さについて、少なくともアッパー部１１より硬い必要がある。
【００５２】
図１５及び図１６に示すように、室内履きスリッパ５００は、ソール部１２の爪先側面先端部分に除湿防臭効果のあるハニカムパターンシートが埋め込まれ、足裏側防湿防臭部２ａとなっている。また、室内履きスリッパ５００のアッパー部の裏面、すなわち、足を挿入した際に足の甲があたる部分の爪先部分にも、除湿防臭効果のある兄カムパターンシートが埋め込まれ、アッパー側防湿防臭部２bとなっている。図１７（ａ）に示すように、アッパー側防湿防臭部２ｂは、室内履きスリッパ５００のソール部の先端部分に設けられている。アッパー側除湿防臭部２ｂは、除湿防臭効果を有するハニカムパターンシート２１を、布で作った袋に入れ、当該袋の口を縫い綴じたものとしてもよいし、ハニカムパターンシート２１を切り整えて、そのまま使用したり埋め込んでもよい。図１７（ｂ）に示すように、ハニカムパターンシート２１は、シリカゲル素材を含んだシート素材であり、拡大して見ると、正六角形を隙間なく並べたハニカムパターンの凸部が設けられている。ハニカムパターンの凸部が設けられていることにより、通気性がよく、また、上下からの負荷にも耐えられる強い構造とすることができる。
【００５３】
シリカゲル素材は、多孔質構造で水分を吸着する性質がある。シリカゲル素材を含むシートの表面にハニカムパターンの凸を備えられたことによって、水分を吸着するシリカゲル素材が外気に触れる面積が多くなり、水分の吸着を効率よく行うハニカムパターンシート２１となっている。また、ハニカムパターンシート２１の凸部は、正六角形を隙間なく並べたハニカムパターンであるため、上からかかる負荷に対して強い。室内履きスリッパのソール部１２の中に埋め込まれ、室内履きスリッパを履いた状態で、上から体重負荷がかかってもハニカムパターンシート２１の凹凸がつぶれにくいので、除湿防臭性能が低下せず、耐久性の高い室内履きスリッパ５００を提供することができる。
【００５４】
実施の形態５の室内履きスリッパ５００は、除湿防臭部２にハニカムパターンの凹凸を設けたシートを用いたが、除湿防湿部２に使用するシートは、ハニカムパターン以外の凹凸を備えたシートを備えてもよい。格子パターンの凹凸を備えたシートでもよいし、多数の細い溝が設けられたシートでもよいし、ランダムに凹凸が設けられたシートでもよい。除湿防湿部２のシート表面に凹凸形状が備えられており、シリカゲル素材が外気に触れる面積が多い構造であることが望ましい。
【００５５】
室内履きスリッパ５００は、蒸れやすい室内履きスリッパの奥部分であるアッパー側防湿防臭部２ｂと、足裏の湿気がとくにこもりやすいソール部の爪先側先端部分である足裏側除湿防臭部２ａにシリカゲル素材を含む防湿防臭部２が設けられていることによって、長時間履いても蒸れにくく、汗をかいても、すぐに乾燥する快適な履き心地となっている。室内履きスリッパ５００は、足裏の形状に沿った凹凸が設けられているので、歩行時も足の位置が室内履きスリッパ５００の中で固定され、位置ズレしないので、安定した良い歩行姿勢を保つことができる。ソール部１２は、足の踵が接する部分には踵にあわせた窪みである踵ホールドが設けられ、また、土踏まずが接する部分には土踏まずの形状に沿った凸部である土踏まずサポートが設けられている。足の位置が室内履きスリッパ５００の中で固定されるため、足裏が、ずっとソール部１２に密着したままとなり、湿気がこもりやすくなるが、ソール部１２の下に除湿防臭効果のあるハニカムパターンシート２１が埋め込まれていることで、湿気が効率よく拡散され、匂いの発生が抑えられる。
【００５６】
本実施の形態では、防湿防臭部２を、アッパー部、アッパー部の爪先近傍の一部分、ソール部、ソール分の一部分に設ける形態を説明したが、防湿防臭部２は、その他、湿気がこもりやすい様々な場所に、部分的に設けることができる。また、室内履きスリッパの形態以外に採用することもできる。たとえば、ルームブーツ等の形態において、足首部分のみに防湿防臭部を設けることとしてもよい。
【００５７】
（実施の形態６）
次に、図１８から図２２を示しながら、実施の形態６にかかる室内履き６００について説明する。
【００５８】
図１８は、この考案の実施の形態６にかかる室内履き６００の斜視図である。図１９は、図１８に示した室内履き６００の右足用室内履き６０１の斜視図である。図２０は、図１８に示した室内履き６００の右足用室内履き６０１の右側面図である。図２１は、図１８に示した室内履き６００の右足用室内履き６０１の参考断面図である。図２２（ａ）は、図１６に示した室内履き６００のアッパー側防湿防臭部２ｂを説明するための参考平面図であって、（ｂ）は、室内履き６００のアッパー側防湿防臭部２ｂを説明するための参考平面図であって、（ｃ）は、図２２（ａ）及び（ｂ）のＣ部拡大図である。
【００５９】
実施の形態６の室内履き６００は、ハニカムパターンシート２１を含む防湿防臭部２を足裏が触れる面に備えた足裏防湿防臭部２ａと、アッパーの内面に備えたアッパー側防湿防臭部２ｂと、を有するブーツ型の室内履き６００である。
【００６０】
図１８から図２０に示すように、室内履き６００は、外観、ブーツ型であって、足首までを包み込む形状の室内履き６００である。実施の形態６の室内履き６００は、足裏が接する面であるソール部１２に、足裏の形態に沿った凹凸が設けられている。この凹凸は、ソール部１２の直下に硬質素材のインソールが内蔵されていることで形成されている。凹凸が設けられた芯材であるインソールを布その他のシート状物で覆ってソール部１２が形成されている。ソール部１２に内蔵されたインソールに設けられた凹凸は、足の内側と外側とで、それぞれ違う大きさであり、足裏の形状に沿った凹凸となっている。芯材であるインソールは、硬質の素材からなる。インソールの素材の硬さについて、少なくともアッパー部１１より硬い必要がある。
【００６１】
図２１に示すように、室内履き６００は、ソール部１２全体に、除湿防臭効果のあるハニカムパターンシートが埋め込まれ、足裏側防湿防臭部２ａとなっている。また、室内履き６００のアッパー部の裏面の爪先部分、すなわち、足を挿入した際に足の甲があたる部分の爪先部分にも、除湿防臭効果のある兄カムパターンシートが埋め込まれ、アッパー側防湿防臭部２bとなっている。図２２（ａ）に示すように、足裏側防湿防臭部２ａは、足裏全体を覆う形状であって、図２２（ｂ）に示すように、アッパー側防湿防臭部２ｂは、室内履き６００のソール部の先端部分の少なくとも一部を覆う形状となっている。アッパー側除湿防臭部２ｂは、除湿防臭効果を有するハニカムパターンシート２１を、布で作った袋に入れ、当該袋の口を縫い綴じたものとしてもよいし、ハニカムパターンシート２１を切り整えて、そのまま使用したり埋め込んでもよい。図２２（ｃ）に示すように、ハニカムパターンシート２１は、シリカゲル素材を含んだシート素材であり、拡大して見ると、正六角形を隙間なく並べたハニカムパターンの凸部が設けられている。ハニカムパターンの凸部が設けられていることにより、通気性がよく、また、上下からの負荷にも耐えられる強い構造とすることができる。
【００６２】
シリカゲル素材は、多孔質構造で水分を吸着する性質がある。シリカゲル素材を含むシートの表面にハニカムパターンの凸を備えられたことによって、水分を吸着するシリカゲル素材が外気に触れる面積が多くなり、水分の吸着を効率よく行うハニカムパターンシート２１となっている。また、ハニカムパターンシート２１の凸部は、正六角形を隙間なく並べたハニカムパターンであるため、上からかかる負荷に対して強い。スリッパのソール部１２の中に埋め込まれ、スリッパを履いた状態で、上から体重負荷がかかってもハニカムパターンシート２１の凹凸がつぶれにくいので、除湿防臭性能が低下せず、耐久性の高い室内履き６００を提供することができる。
【００６３】
実施の形態６の室内履き６００は、除湿防臭部２にハニカムパターンの凹凸を設けたシートを用いたが、除湿防湿部２に使用するシートは、ハニカムパターン以外の凹凸を備えたシートを備えてもよい。格子パターンの凹凸を備えたシートでもよいし、多数の細い溝が設けられたシートでもよいし、ランダムに凹凸が設けられたシートでもよい。除湿防湿部２のシート表面に凹凸形状が備えられており、シリカゲル素材が外気に触れる面積が多い構造であることが望ましい。
【００６４】
室内履き６００は、蒸れやすいスリッパの奥部分であるアッパー側防湿防臭部２ｂと、足裏の湿気がとくにこもりやすいソール部の爪先側先端部分である足裏側除湿防臭部２ａにシリカゲル素材を含む防湿防臭部２が設けられていることによって、長時間履いても蒸れにくく、汗をかいても、すぐに乾燥する快適な履き心地となっている。室内履き６００は、足裏の形状に沿った凹凸が設けられているので、歩行時も足の位置が室内履き６００の中で固定され、位置ズレしないので、安定した良い歩行姿勢を保つことができる。ソール部１２は、足の踵が接する部分には踵にあわせた窪みである踵ホールドが設けられ、また、土踏まずが接する部分には土踏まずの形状に沿った凸部である土踏まずサポートが設けられている。足の位置がスリッパ４００の中で固定されるため、足裏が、ずっとソール部１２に密着したままとなり、湿気がこもりやすくなるが、ソール部１２の下に除湿防臭効果のあるハニカムパターンシート２１が埋め込まれていることで、湿気が効率よく拡散され、匂いの発生が抑えられる。
【符号の説明】
【００６５】
１００，２００，３００，４００，５００  室内履きスリッパ
６００    室内履き
１０１，２０１，３０１，４０１，５０１  左足用室内履きスリッパ
６０１  左足用室内履き
１０２，２０２，３０２，４０２，５０２  右足用室内履きスリッパ
６０２  右足用室内履き
１１    アッパー部
１２    ソール部
２      除湿防臭部
２ａ   足裏側防湿防臭部
２ｂ  アッパー側防湿防臭部
２１    ハニカムパターンシート
Ｈ    人
【図１】
0003210564.tif 000003
【図２】
0003210564.tif 000004
【図３】
0003210564.tif 000005
【図４】
0003210564.tif 000006
【図５】
0003210564.tif 000007
【図６】
0003210564.tif 000008
【図７】
0003210564.tif 000009
【図８】
0003210564.tif 000010
【図９】
0003210564.tif 000011
【図１０】
0003210564.tif 000012
【図１１】
0003210564.tif 000013
【図１２】
0003210564.tif 000014
【図１３】
0003210564.tif 000015
【図１４】
0003210564.tif 000016
【図１５】
0003210564.tif 000017
【図１６】
0003210564.tif 000018
【図１７】
0003210564.tif 000019
【図１８】
0003210564.tif 000020
【図１９】
0003210564.tif 000021
【図２０】
0003210564.tif 000022
【図２１】
0003210564.tif 000023
【図２２】
0003210564.tif 000024
【手続補正書】
【提出日】平成29年3月31日(2017.3.31)
【手続補正１】
【補正対象書類名】実用新案登録請求の範囲
【補正対象項目名】全文
【補正方法】変更
【補正の内容】
【実用新案登録請求の範囲】
【請求項１】
足の甲の上半分の一部分を覆う大きさを有するアッパー部と、
硬質素材の芯材であるインソールが内蔵され且つ表面が布その他のシート状物で覆われたソール部と、
前記ソール部の内部であって前記インソールと前記シート状物との間に設けられた除湿防臭シートを有する除湿防臭部と、を備えたことを特徴とする室内履き。
【請求項２】
足の甲の上半分の一部分を覆う大きさを有し、除湿防臭シートからなる除湿防臭部を備えたアッパー部と、
硬質素材の芯材であるインソールが内蔵され且つ表面が布その他のシート状物で覆われたソール部と、
前記アッパー部の内部に設けられた除湿防臭シートからなる除湿防臭部と、を備えたことを特徴とする室内履き。
【請求項３】
前記除湿防臭シートは、表面に凹凸構造を有し且つシリカゲルを含んだ素材からなることを特徴とする請求項１または請求項２いずれか１つに記載の室内履き。
【請求項４】
前記除湿防臭シートの前記凹凸構造は、正六角形を隙間なく並べたハニカムパターンの凸部からなることを特徴とする請求項３に記載の室内履き。
【請求項５】
前記ソール部は、前記ソール部上面の中央に隆起を有し、前記ソール部上面の左右端が高くなっていることを特徴とする請求項１から請求項４いずれか１つに記載の室内履き。